(57)【要約】【課題】物品の出し入れ、保持が容易で、しかも傷付きがない使用勝手のいホルダーを提供する。【解決手段】対向する前壁１２と後壁１３の少なくとも一方に、カットパイル１６を有する起毛布１４を取着したもので、挿入される携帯電話３を、一方の壁に取着された起毛布１４のカットパイル１６と、反対側の側で保持するので、傷付きが無く、また、携帯電話３の出し入れも極めて容易である。【選択図】  図１
2004321743.tif 000002
【特許請求の範囲】
【請求項１】
２つ以上の側壁を有し、対向する２つの前記側壁の少なくとも一方に、カットパイルを有する起毛布を取着したホルダー。
【請求項２】
略筒状の側壁を有し、前記側壁の少なくとも一部にカットパイルを有する起毛布を取着したホルダー。
【請求項３】
カットパイルを有する起毛布を複層設けてなるホルダー。
【請求項４】
起毛布を巻回又は折り曲げて複層とした請求項３記載のホルダー。
【請求項５】
カットパイルが内側に位置するように起毛布を折り曲げた請求項４記載のホルダー。
【請求項６】
起毛布の端部が緩まないようする緩み止め手段を設けた請求項３〜５のいずれか１項記載のたホルダー。
【請求項７】
起毛布を収納する容器を備えた請求項３〜６のいずれか１項記載のホルダー。
【請求項８】
第２の容器を配した請求項７記載のホルダー。
【請求項９】
側壁または容器の外側に、剥離紙で覆われた接着材層を設けた。請求項１、２、７または８のいずれか１項記載のホルダー。
【請求項１０】
物品を保持する機能以外の機能を有する商品に併設される請求項１〜９のいずれか１項記載のホルダー。
【請求項１１】
互いに対向して配された一対のフレームを備え、前記フレームのそれぞれにかつ互いに対向する位置に、略Ｕ字状の切り欠き部を設け、前記切り欠き部の内周にカットパイルを有する起毛布を取着したホルダー。
【発明の詳細な説明】
【発明の属する技術分野】
本発明は、細長い物品、あるいは、小物の物品を保持又は収納するホルダーに関するものである。
【従来の技術】
細長い物品あるいは、小物の物品を保持又は収納するホルダーを大別すると、移動する車両の中、すなわち振動を受ける場所で使用されるものと、一般家庭や事務所など、車両の中のように常時振動は受けないが、時々運搬されることがある場所で使用されるものがある。
最初に、車輛の中で使用される従来のホルダーについて述べる。
近年、携帯電話を携帯する人が急増しているが、そのような人達が、自動車に乗る時や運転する時に、ポケットやバッグから携帯電話をとりだし、ダッシュボード等に取り付けたホルダーに差し込んでおき、すぐ取り出せるようにしておくのが一般的である。また、カーエアークリーナーや、カーナビゲーションシステムを搭載した自動車も、増加傾向にあるが、それらのコントローラーも、ホルダーに差しこんでいつでも取り出せるようにしているのが一般的である。
以下に、物品を携帯電話を例にして、従来の車両内で使用されるホルダーについて説明する。
図１０において、１は、一般にプラスチック材料で形成され、略筒状のホルダーで、その後壁２の裏側に、特に図示しないが、両面接着テープが貼ってあり、ホルダー１の購入時についてくる剥離紙を剥して、車のダッシュボード（図示せず）にホルダー１が取り付けられるようになっており、使用者は、このホルダー１の中に携帯電話３を入れるようにしていた。ホルダー１の奥行き寸法（Ｌ）は、図示されるように、携帯電話３の出し入れを容易にする為に、携帯電話３の大きさに較べ若干大きめに設定されている。
また、他の例として、図１０（ｄ）に示すように、ホルダー１内で、携帯電話３がぐらつかないようにする為に、後壁２の内面にスポンジシート４を貼りつけているものも有る。
さらに、ホルダー１内で、携帯電話３がぐらつかないようにする他の例として、図１１に示すように、ホルダー５の一部に、突出片６を一体に形成し、その突出片６の弾性力を利用して携帯電話３を押さえるようにしたものもある。７は、突出片６を金型（図示せず）で形成するための開口である。
また、つり竿やゴルフクラブ等の長尺ものを運搬する時は、手近な箱に入れたり、衣類や、緩衝材で包んでいた。
次に、家庭や事務所などで使用されるごく一般的なホルダーとして、図１２に示されるようなものがあった。９は、略箱状のホルダーで、その中に鉛筆、ハサミ等の小物の物品が乱雑に入れられていた。形状的には特に図示しないが、略筒状のものも一般的に使用されている。
【発明が解決しようとする課題】
図１０（ａ）〜（ｃ）に示される従来のホルダー１の場合は、自動車の運転時に携帯電話３がホルダー１内でがたつくため、騒がしく、携帯電話３の外郭にキズがついたり、故障の原因になっていた。また、図１０（ｄ）に示すようなホルダー１の場合は、がたつきの問題は無いが、携帯電話３がスポンジシート４の広い面で押しつけられているため、摩擦抵抗が大きくなり、携帯電話３の出し入れが非常に困難になると共に、携帯電話３の外郭に印刷された文字や、貼りつけられたラベル（図示せず）の文字がかすれていく問題があった。
また、図１１に示されるようなホルダー５の場合は、がたつきも無く、図１０（ｄ）のものに較べ、携帯電話３の出し入れは若干容易になるが、プラスチックで形成された突出片６で、携帯電話３の外郭が擦られることになるので、傷つきの問題があった。また、携帯電話３の厚さはその機種、メーカーにより種々あるため、突出片６による押圧は大きく変わり、それが弱い場合は、携帯電話３のふらつきを完全に抑えられず、逆に押圧が強過ぎる場合は、携帯電話３の出し入れが困難になったり、大きな傷付きの原因になるなどの問題があった。
また、つり竿やゴルフクラブ等の長尺ものの物品を運ぶ時、単に箱に入れただけでは、物品同士がぶつかり合ってキズがついたり、それを防止するために衣類、緩衝材で包むようにした場合、傷付きは防止できるが、長尺ゆえに、衣類や、緩衝材で包む作業は大変であった。
また、図１２に示されるものにあっては、箱状または、筒状のホルダーに物品を単に放り込んだだけであるため、鉛筆の芯が折れたり、物品同士が擦れあってキズがつくなどの問題があった。
本発明は、上記課題を解決し、物品の出し入れ、保持が容易で、しかも傷付きがない使用勝手の良いホルダーを提供することを目的とするものである。
【課題を解決するための手段】
上記目的を達成するために本発明は、２つ以上の側壁を有し、対向する２つの前記側壁の少なくとも一方に、カットパイルを有する起毛布を取着したもので、挿入される物品を、一方の側壁に取着された起毛布のカットパイルと、反対側の側壁で保持するので、傷付きが無く、また、物品の出し入れも極めて容易である。
【発明の実施の形態】
本発明の請求項１記載の発明は、２つ以上の側壁を有し、対向する２つの前記側壁の少なくとも一方に、カットパイルを有する起毛布を取着したもので、挿入される物品を、一方の側壁に取着された起毛布のカットパイルと、反対側の側壁で保持するので、傷付きが無く、また、物品の出し入れも極めて容易である。
本発明の請求項２記載の発明は、略筒状の側壁を有し、前記側壁の少なくとも一部にカットパイルを有する起毛布を取着したもので、ジュース缶のような略円柱状の物品をがたつかせる事無く保持ができるようになる。
本発明の請求項３記載の発明は、カットパイルを有する起毛布を複層設けたもので、傷をつけることなく複数の物品を同時に保持、収納ができる。
本発明の請求項４記載の発明は、起毛布を巻回又は折り曲げて複層としたもので、ホルダーの製造が容易になるので、安価に提供する事ができる。
本発明の請求項５記載の発明は、カットパイルが内側に位置するように起毛布を折り曲げたもので、物品がカットパイルで両側からはさまれるようになるので、物品の保持がよりソフトになる。
本発明の請求項６記載の発明は、起毛布の端部が緩まないようする緩み止め手段を設けたもので、起毛布全体を覆うような部品が不用なので、安価に製造する事ができる。
本発明の請求項７記載の発明は、起毛布を収納する容器を備えたもので、起毛布を巻くか、折り曲げて容器に収納するだけでホルダーが形成されるので、安価に提供できると共に、起毛布を清掃したいときに、容器から出して行えるので、メンテが容易である。
本発明の請求項８記載の発明は、第２の容器を配したもので、それに起毛布に差せないような小物を入れる事ができるので、利用範囲が広くなるものである。本発明の請求項９記載の発明は、側壁または容器の外側に、剥離紙で覆われた接着材層を設けたので、剥離紙を剥すだけで、ホルダーをどこにでも固定できるようになり非常に使い勝手が良くなる。
本発明の請求項１０記載の発明は、物品を保持する機能以外の機能を有する商品にホルダーを併設するもので、他の商品とホルダーを別々に置くよりも少ないスペースですむので、見た目もきれいになる。
本発明の請求項１１記載の発明は、互いに対向して配された一対のフレームを備え、前記フレームのそれぞれにかつ互いに対向する位置に、略Ｕ字状の切り欠き部を設け、前記切り欠き部の内周にカットパイルを有する起毛布を取着したもので、長尺ものの物品の両端部を、起毛布を取り付けた略Ｕ字状の切り欠き部に挿入するだけで、がたつき無く、しかも傷をつけることなく物品を保持する事ができるようになるものである。
【実施例】
（実施例１）
以下に本発明の第１の実施例について、図１を用いて説明する。
１０は、側壁１１、前壁１２および後壁１３を有するホルダーで、後壁１３の内側に、起毛布１４が貼りつけられている。起毛布１４は、基材となる基布１５と、それとともに紡織される極細繊維からなるカットパイル１６から形成されている。極細繊維の材料としては、柔軟性および弾力性を考慮するとナイロン、ポリプロピレン等の樹脂が望ましく、また繊維の太さは、０．２ｍｍ以下が望ましい。また、カットパイル１６の高さは、携帯電話３をホルダー１０の前壁１３に当てたときの、携帯電話３と後壁１３との間の隙間（Ｓ）より大きく設定してある。
１７は、ホルダー１０の後壁１３の外側に貼り付けられた両面接着テープで、１８は、ホルダー１０を目的物に取り付けるまでの間、両面接着テープ１７の接着面を保護する剥離紙である。
上記構成による作用は以下の通りである。
剥離紙１８を剥いで、ホルダー１０をダッシュボード（図示せず）などの希望する位置に両面接着テープ１７を介して固着し、次に物品である携帯電話３をホルダー１０に挿入する。カットパイル１６の高さは、携帯電話３と後壁１３との間の隙間（Ｓ）より大きく設定してあるので、カットパイル１６は、携帯電話３がホルダー１０に挿入されると、図１（ｂ）に示されるように、下方になびくように撓むとともに、その撓みによって発生する弾性力で、携帯電話３を前壁１２に押しつけるような力が働き、それにより、自動車が運転されていても携帯電話３が振動することがない。また、カットパイル１６の各繊維が、携帯電話３に線接触する形になるので、携帯電話３のホルダー１０への出し入れ時の摩擦抵抗が極めて小さくなり、それにより出し入れが非常に容易になる。さらに、カットパイル１６に極細繊維を使っているので、携帯電話３に傷がつく事もない。
なお、上記実施例では、起毛布１４を、ホルダー１０の後壁１３のみに取り付けたが、対向する二つの面、例えば、前壁１２と後壁１３、或いは、図２に示すように４面全てに取り付けるようにすれば、出し入れがよりスムーズになる事は言うまでも無い。
また、ホルダー１０の目的物への取り付けは、上記の両面接着テープ１７の替わりに、ネジ止め或いは、図示しないが、市販の面ファスナーを用いても良い。特に後者の場合は、ホルダー１０の目的物への着脱が自在になるので、ホルダー１０を使用しないときは、それを外して片付けておく事もできる。
また、上記実施例では、ホルダー１０の全体形状を側壁、前壁、後壁を設けて略箱状に形成したが、側壁を略筒状に形成し、その一部にカットパイルを有する起毛布を取着するようにしても、上記と同様の効果があることは言うまでも無い。特に、筒状に形成されると、ジュース缶のような略円柱状の物品の保持、収納に適するようになる。
（実施例２）
次に本発明の第２の実施例を、図３を用いて説明する。上記実施例と同一部分については、同一符号、名称を付してその説明を省略する。
本実施例は、特に鉛筆、ボールペン、筆、万年筆等の比較的細い棒状のものを保持するのに最適なホルダーに関するものである。
本実施例は、最初に図３（ａ）に示すように、起毛布１４を略円柱状に巻いてホルダー１９を形成したもので、１９ａは、巻いた起毛布１４が解けないようにするための緩み止め手段として伸縮自在のバンドである。
以上の構成により、起毛布１４による層が複数形成されるので、図３（ｂ）に示すように、そこに鉛筆、ボールペン、筆、万年筆等の比較的細い棒状のものを差し込むだけで良い。本実施例によれば、起毛布１４を形成する基布１５、カットパイル１６のいずれも、柔軟性に富んでいるので、鉛筆等を差し込む際、ほとんど抵抗を感ずることが無く、同時に極めて多くのカットパイル１６が鉛筆などの外周部に押し当てられる状態となり、程よい保持、固定力が発生するものである。
なお、上記実施例では、起毛布１４を巻いてホルダー１９を形成したが、図３（ｃ）に示すように複数の起毛布１４を重ねて形成しても良い。さらには、図３（ｄ）に示すように、起毛布１４を折り曲げて形成しても良い。この場合は、物品がカットパイルで両側からはさまれる様になるので、物品の保持がよりソフトになる。要は、起毛布１４で複数の層を形成して、その部分に物品が差せるようになれば良い。
また、本実施例では、巻いた起毛布１４が解けないようにする為に伸縮自在のバンド１９ａを使用したので、起毛布１４を別個の容器に収納することが不用になるので、安価にホルダーを提供する事ができる。
なお、上記実施例では、巻いた起毛布１４が解けないようにする為に、バンド１９ａを採用したが、一般の接着剤を利用して起毛布１４の端部を固着しても良い。あるいは、特に図示しないが、起毛布１４の端部を面ファスナーで固定するようにすれば、端部の取り外しが自在になり、万一巻いた起毛布１４が汚れた時には、端部を外すことにより、起毛布１４を開いて洗浄が容易にできると言う、効果もある。
（実施例３）
次に本発明の第３の実施例を、図４を用いて説明する。上記実施例と同一部分については、同一符号、名称を付してその説明を省略する。
本実施例では、上記第２の実施例同様に、起毛布１４を一旦巻いて、それを略筒状の容器２０ａに挿入して、ホルダー２０を形成したものである。ホルダー２０を使用するときは、図４に示すように、鉛筆等を好きなところに差し込むだけで良い。
本実施例によれば、ホルダー２０は、巻いた起毛布１４を容器２０ａに挿入しただけであるから、万一起毛布１４が汚れた場合、それを取り出し、洗浄することが極めて簡単にできるものである。
なお、上記実施例では、巻いた起毛布１４を容器２０ａに入れたが、第２の実施例で述べたような、折り曲げた起毛布１４、又は、複数重ねた起毛布１４を容器２０ａに入れても、同様の効果が得られることは言うまでも無い。或いは、内径の異なる起毛布１４の筒を複数作り、大きい径の起毛布１４の筒に、順次径の小さい起毛布の筒を入れて、ホルダーを形成しても良い。
図５は、本実施例の他の例を示すもので、図５（ａ）に示すように、シート状の起毛布１４を、一方の端部の縦の長さを、他端側の縦の長さより大きくして略三角形状にカットし、それを長いほうから巻いて、容器２０ａに挿入したもので、全体形状は、図５（ｂ）に示されるような形状になり、起毛布１４の中央部が外側部よりも突出した形になる。（勿論、逆に巻けば、外側部が突出した形になる）
そして、耳かき等の長いものを中央部に、比較的短い鉛筆などを外側寄りに差すようにすれば、長いものが倒れたり、短いものが起毛布１４の中に埋もれてしまい、取り出せなくなる事が無い。
（実施例４）
次に本発明の第４の実施例を、図６を用いて説明する。上記実施例と同一部分については、同一符号、名称を付してその説明を省略する。
本実施例は、図６に示すように、上記第３の実施例で述べた容器２０ａに小物入れ用の第２の容器２０ｂを併設したもので、そのバリエーションとして、図６（ａ）、（ｂ）に示すように、容器２０ａの横に第２の容器２０ｂを設けたもの、あるいは、図６（ｃ）のように、容器２０ａ内の起毛布１４の略中央部に第２の容器２０ｂを設けたものである。
このように本実施例によれば、ホルダー２１に小物入れ用の第２の容器２０ｂが設けられているので、ホルダー２１の利用範囲が拡大されることになる。
（実施例５）
次に本発明の第５の実施例を、図７を用いて説明する。上記実施例と同一部分については、同一符号、名称を付してその説明を省略する。
図７において、ホルダー２２は、両端に支柱ａ２３ａ、支柱ｂ２３ｂを固着した台部２４と、カットパイル１６側を互いにつき合わせて重ねた２枚の起毛布１４と、前記２枚の起毛布１４の両端部２５をそれぞれ固定する固定具２６と、起毛布１４を支柱ａ２３ａと支柱ｂ２３ｂとの間に張架するように、固定具２６と支柱ａ２３ａ、支柱ｂ２３ｂを連結する連結具２７を備えている。
このホルダー２２の使用方法は、図７に示すように、両起毛布１４間に、鉛筆などを単に、差し込むだけで良い。また、本実施例では、起毛布１４を対向して設けているので、挿入されるものが、多少太めであっても、伸縮性に富んだ起毛布１４が前後にふくらむので、使用上何ら問題が無い。
なお、本実施例では、起毛布１４を２枚のみ用いたが、対抗させた２枚の起毛布１４を１組とし、複数組を両支柱２３間に張架しても良い。
（実施例６）
次に本発明の第６の実施例を、図８を用いて説明する。上記実施例と同一部分については、同一符号、名称を付してその説明を省略する。
本実施例は、上記実施例で述べたホルダーを、物品を保持する機能以外の機能を有する商品、例えば、図８に示すように、時計２９に併設したものである。
このようにすることで、他の商品とホルダーを個々に置くよりも少ないスペースですむので、見た目もきれいになる。
なお、時計のほかにも、花瓶、煙草セット、本たてなど色々と応用が可能である。
（実施例７）
次に本発明の第７の実施例を、図９を用いて説明する。上記実施例と同一部分については、同一符号、名称を付してその説明を省略する。
本実施例は、つり竿や、ゴルフクラブなどの長尺もので比較的重いものを保持するのに最適なホルダーに関するものである。
図９において、ホルダー３０は、一対のフレーム部材３１と、それを所定の間隔をおいて枠状に形成するための支柱Λ３２と、フレーム部材３１と支柱Λ３２を締結するための締結部材３３で構成されている。
各フレーム部材３１には、互いに対向するように複数のＵ字状の切り込み部３４が形成され、その切り込み部３４の内面に起毛布１４が、貼りつけられている。
カットパイル１６を形成する繊維の織込み密度は、濃い目に設定し、剛性を高めて、比較的重いものを受けても容易に永久変形しないようにしている。
本実施例のホルダー３０を使用する時は、車内の平らな所に、本ホルダー３０を容易に動かないように固定した上で、図９（ａ）に示すように、つり竿や、ゴルフクラブを起毛布１４を貼り付けた切り込み部３４に挿入するだけで、起毛布１４のカットパイル１６の持つ弾性力で保持されると共に、繊維から成るカットパイル１６で支えられるので、高価なつり竿や、ゴルフクラブにキズをつける事も無い。
【発明の効果】
以上のように、本発明によれば、物品の出し入れ、保持が容易で、しかも傷付きが無く、使用勝手の良いホルダーを提供することができるものである。
【図面の簡単な説明】
【図１】（ａ）本発明の第１の実施例を示すホルダーの斜視図
（ｂ）同ホルダーの部分断面図
【図２】本実施例の他の例を示すホルダーの上面図
【図３】（ａ）本発明の第２の実施例を示すホルダーに使用する起毛布の斜視図
（ｂ）同ホルダーの斜視図
（ｃ）同ホルダーの他の例を示す平面図
（ｄ）同ホルダーの他の例を示す平面図
【図４】本発明の第３の実施例を示すホルダーの斜視図
【図５】（ａ）同実施例の他の例を示すホルダーに使用される起毛布の斜視図
（ｂ）同ホルダーの他の使用例を示す斜視図
【図６】（ａ）本発明の第４の実施例を示すホルダーの斜視図
（ｂ）同実施例の他の例を示すホルダーの斜視図
（ｃ）同実施例の他の例を示すホルダーの斜視図
【図７】本発明の第５の実施例を示すホルダーの斜視図
【図８】本発明の第６の実施例を示すホルダーの斜視図
【図９】（ａ）本発明の第７の実施例を示すホルダーの斜視図
（ｂ）同ホルダーの要部拡大斜視図
【図１０】（ａ）従来のホルダーの斜視図
（ｂ）同ホルダーの断面図
（ｃ）同ホルダーの断面図
（ｄ）他の従来例を示すホルダーの断面図
【図１１】他の従来例を示すホルダーの使用例を示す部分断面図
【図１２】他の従来例を示すホルダーの使用例を示す斜視図
【符号の説明】
３  携帯電話（物品）
１０、１９、２１、３０  ホルダー
１４  起毛布
１５  基布
１６  カットパイル
１９  ホルダー
【図１】
2004321743.tif 000003
【図２】
2004321743.tif 000004
【図３】
2004321743.tif 000005
【図４】
2004321743.tif 000006
【図５】
2004321743.tif 000007
【図６】
2004321743.tif 000008
【図７】
2004321743.tif 000009
【図８】
2004321743.tif 000010
【図９】
2004321743.tif 000011
【図１０】
2004321743.tif 000012
【図１１】
2004321743.tif 000013
【図１２】
2004321743.tif 000014